Podtech/llm-jp-corpus-v4-ja_patent huggingface dataset:
(57)【要約】【課題】缶バッチ等を安全ピンで止めたり外したりする操作は非常に面倒で、厚みのあるベルトなどにはピンを刺し難いという問題がありあり、またストラップではショルダーバッグの肩掛けベルトに取り付けるのは困難である。【解決手段】表裏両面に互いに剥離可能に結合し合う毛状結合素子を持った帯状の面ファスナーからなる取付ベルトの表裏両面の中央に、粘着片を取り付けた装身具用留め具、および取付ベルトの表面中央に取り付けた装身具。【選択図】図１
0003130964.tif 000002
【実用新案登録請求の範囲】
【請求項１】
表裏両面に互いに剥離可能に結合し合う毛状結合素子を持った帯状の面ファスナーからなる取付ベルトの表裏両面の中央に、粘着片を取り付けた装身具用留め具。
【請求項２】
表裏両面に互いに剥離可能に結合し合う毛状結合素子を持った帯状の面ファスナーからなる取付ベルトの表面中央に取り付けた装身具。
【考案の詳細な説明】
【技術分野】
【０００１】  本考案は、缶バッチやフィギュア、あるいは携帯電話や携帯ラジオなどの携帯機器ホルダー等の装身具をショルダーバッグの肩掛けベルトに取り付けるための留め具及びこれを取り付けた装身具に関するものである。
【背景技術】
【０００２】  従来、缶バッチなどは主として安全ピンで衣服やバッグ等に止め着け、また各種フィギュアは安全ピンやストラップなどで衣服やバッグ等に止め着け、さらに携帯機器ホルダーはその裏面に設けたベルト通しなどでウエストベルトに止め着けている。
【考案の開示】
【考案が解決しようとする課題】
【０００３】  缶バッチ等を安全ピンで止めたり外したりする操作は非常に面倒で、厚みのあるベルトなどにはピンを刺し難いという問題がありあり、またストラップではショルダーバッグの肩掛けベルトに取り付けるのは困難である。
ショルダーバッグの肩掛けベルトに缶バッチなどの装身具を取り付けることができると、装身具が目立って飾りとしてより効果的で、また携帯機器ホルダーを取り付けることができると、携帯機器の着脱が容易になる。
【課題を解決するための手段】
【０００４】  本考案は、面ファスナーのベルトとその内外面に止着した粘着テープにより、缶バッチやフィギュア、携帯機器ホルダー等の装身具をショルダーバッグの肩掛けベルトに簡単に取り付けたり取り外すことができるようにした留め具及びこれを取り付けた装身具を提供することを最も主要な特徴とする。
【考案の効果】
【０００５】  外面の粘着テープ缶バッチやフィギュア、携帯機器ホルダー等の装身具をショルダーバッグの肩掛けベルトに簡単に取り付けたり取り外したりすることができる。
【考案を実施するための最良の形態】
【０００６】  表裏両面に互いに剥離可能に結合し合う毛状結合素子を持った帯状の面ファスナーからなる取付ベルトの表裏両面の中央に、粘着片を取り付けた装身具用留め具、および取付ベルトの表面中央に取り付けた装身具。
【実施例１】
【０００７】  図１〜図３において、１は缶バッチ、フィギュア、携帯機器ホルダー等の装身具で、その裏面に取付ベルト２が取り付けられている。
取付ベルト２は、表裏両面に互いに剥離可能に結合し合うフックあるいはループ等の毛状結合素子を持った帯状の面ファスナーからなり、その裏面（装身具１の取付面と反対側の面）の中央に表面または表裏両面が粘着性を有する粘着片３が取り付けられている。
装身具１は取付ベルト２に固着してもよいが、各種の装身具１を随時交換して取付できるように表面または表裏両面が粘着性を有する粘着片４で着脱自在に取り付けることが望ましい（図３）。
また、取付ベルト２だけを商品として販売またはノベルティーとして配布する場合に、取付ベルト２の表面中央に粘着片４を接着しておくことにより、この取付ベルト２のユーザーがこれに好みの各種装身具１を自由に接着して使用することができる。
ショルダーバッグの肩掛けベルト５に装身具１を取り付ける場合には、図１に示すように取付ベルト２を左右に拡げた状態で、肩掛けベルト５に粘着片３を押し当て、次いで図２に示すように取付ベルト２の左右端部を肩掛けベルト５を包むように折り曲げて、互いに重ね合わせて接着する。
【産業上の利用可能性】
【０００８】  装身具の使用範囲が広がり、その需要拡大が見込まれる。
【図面の簡単な説明】
【０００９】
【図１】この考案に係る装身具を示す背面図である。
【図２】この考案に係る装身具をショルダーバッグの肩掛けベルトに取り付けた状態を示す背面図である。
【図３】この考案に係る装身具をショルダーバッグの肩掛けベルトに取り付けた状態を示す横断平面図である。
【図４】この考案に係る装身具の使用状態を示す正面図である。
【符号の説明】
【００１０】１    装身具
２    取付ベルト
３    粘着片
４    粘着片
５    肩掛けベルト
【図１】
0003130964.tif 000003
【図２】
0003130964.tif 000004
【図３】
0003130964.tif 000005
【図４】
0003130964.tif 000006
【手続補正書】
【提出日】平成19年1月24日(2007.1.24)
【手続補正１】
【補正対象書類名】実用新案登録請求の範囲
【補正対象項目名】請求項２
【補正方法】変更
【補正の内容】
【請求項２】
表裏両面に互いに剥離可能に結合し合う毛状結合素子を持った帯状の面ファスナーからなる取付ベルトの表裏両面の中央に、粘着片を取り付けた装身具用留め具の表面の粘着片に接着した装身具。
(57)【要約】      （修正有）【課題】歩道表層ブロックの持つ固有平面寸法に合わせた自転車道境界ブロックを用い、自転車道境界ブロックの先端部で歩道表層ブロックの目地が均一にならず、組み合わせ不足による強度の低下、見た目のずれなく歩道表層ブロックを敷設することができる自転車道境界ブロックを提供する。【解決手段】自転車道境界ブロック１を歩道表層ブロック３の持つ固有平面寸法に合わせたことを特徴とする。【選択図】図１
0003130977.tif 000002
【実用新案登録請求の範囲】
【請求項１】
歩道表層ブロック（３）の持つ固有平面寸法に合わせた自転車道境界ブロック（１）。
【考案の詳細な説明】
【考案の詳細な説明】
【産業上の利用分野】
【０００１】  この考案は、歩道表層ブロック（３）の持つ固有平面寸法に合わせた自転車道境界ブロック（１）に関するものである。
【背景技術】
【０００２】  従来、歩道表層ブロック（３）の持つ固有平面寸法を考慮しない大阪市型自転車道境界ブロック（２）があった。
【考案が解決しようとする課題】
【０００３】  これは次のような欠点があった。
従来の大阪市型自転車道境界ブロック（２）は、歩道表層ブロック（３）の持つ固有平面寸法を考慮していなかったため、大阪市型自転車道境界ブロック（２）の先端部で歩道表層ブロック（３）とつき合わす箇所で、平面的にギャップが生じていた。
そのため、歩道表層ブロック（３）の目地が均一にならず、組み合わせ不足（４）による強度の低下、見た目のずれ（５）に不具合が生じていた。
本考案は、以上のような欠点をなくすためになされたものである。
【課題を解決するための手段】
【０００４】  歩道表層ブロック（３）の持つ固有平面寸法に合わせた自転車道境界ブロック（１）である。
本考案は、以上の構成よりなる自転車道境界ブロック（１）である。
【作用】
【０００５】  この自転車道境界ブロック（１）を使用して、歩道表層ブロック（３）との平面的ギャップを解消する。
【実施例】
【０００６】  以下、本考案の実施例について説明する。
歩道表層ブロック（３）の固有平面寸法に合わせた自転車道境界ブロック（１）。
本考案は、以上のような構成でこれを使用するときは、共通の固有平面寸法を共有するため、自転車道境界ブロック（１）の先端部で歩道表層ブロック（３）の目地が均一にならず、組み合わせ不足（４）による強度の低下、見た目のずれ（５）なく歩道表層ブロックを敷設することができる。
【考案の効果】
【０００７】  自転車道境界ブロック（１）を歩道表層ブロック（３）の固有平面寸法に合わせた事により、歩道表層ブロック（３）の余分な切断が省け、作業性が向上する。
組み合わせ不足（４）による強度の低下、見た目のずれ（５）がなくなる。
【図面の簡単な説明】
【図１】  本考案の平面図である。
【図２】  本考案の実施例大阪市波型歩道表層ブロック対応時の平面図である。
【図３】  本考案の実施例長方形歩道表層ブロック対応時の平面図である。
【図４】  従来の平面図である。
【符号の説明】
１    本考案の自転車道境界ブロック
２    従来の大阪市型自転車道境界ブロック
３    歩道表層ブロック
４    組み合わせ不足の起こる箇所
５    見た目のずれの起こる箇所
【図１】
0003130977.tif 000003
【図２】
0003130977.tif 000004
【図３】
0003130977.tif 000005
【図４】
0003130977.tif 000006
(57)【要約】【課題】  本考案は、オリジナルのイラストや写真によって結婚する２人の個性を前面に押し出すと共に、従来は数種類の在庫を所有する事により掛かっていたコストが受注生産にする事により、大幅にコストを削減する事を目的とした、結婚披露宴席次表である。【解決手段】  結婚式の披露宴に用いられる会場内の席次表に於いて、席次表配列印刷面（Ｂ面）の反対面（Ａ面）を、両側から４分の１づつ山折し、その４分の１づつ折込んだＡ面の一方の片面には新郎新婦の挨拶やその日のメニュー等を入れ、もう一方の片面にはプロフィールや写真・イラスト等を入れ、Ａ面の残り２分の１を表紙面とし、該表紙面には数十種類用意されたイラストの中から新郎新婦が選んだイラストを印刷し、その２分の１を表表紙として、数十種類用意された「書体」から選んだ「書体で作ったロゴ」が入り、残り２分の１を裏表紙として表紙面で新郎新婦が選んだイラストを印刷し、Ａ面の真中より山折して４分の１の大きさとした、結婚披露宴席次表。【選択図】図１
0003130978.tif 000002
【実用新案登録請求の範囲】
【請求項１】
結婚式の披露宴に用いられる会場内の席次表に於いて、席次表配列印刷面（Ｂ面）の反対面（Ａ面）を、両側から４分の１づつ山折し、その４分の１づつ折込んだＡ面の一方の片面には新郎新婦の挨拶やその日のメニュー等を入れ、もう一方の片面にはプロフィールや写真・イラスト等を入れ、Ａ面の残り２分の１を表紙面とし、該表紙面には数十種類用意されたイラストの中から新郎新婦が選んだイラストを印刷し、その２分の１を表表紙として、数十種類用意された「書体」から選んだ「書体で作ったロゴ」が入り、残り２分の１を裏表紙として表紙面で新郎新婦が選んだイラストを印刷し、Ａ面の真中より山折して４分の１の大きさとした、結婚披露宴席次表。
【考案の詳細な説明】
【技術分野】
【０００１】  本考案は、結婚披露宴席次表に関するものである。
【背景技術】
【０００２】  結婚式とは冠婚葬祭の中で最も華やかなイベントであり、新郎新婦及び親族、知人、友人等の多数の列席者にとっても一生忘れる事の出来ないイベントである。
結婚披露宴では宴会場における列席者の座席を指定するために結婚披露宴の席次表が準備され列席者に配布される。この席次表はただ配列を表示するだけではなく宴席を飾り盛り上げるための恰好の品となり、席次表の与える印象は新郎新婦及びその親族の印象となりやすい。
従来の席次表は、表紙面と裏面はあらかじめ用意された用紙を使用する為ありきたりのデザインとなっていた。
しかし、席次表は単に席次を表示するためだけのものではなく、結婚式を盛り上げる道具として活用する必要がある。【０００３】そのために考案されたものとして例えば、下記の文献がある。
【特許文献１】  実開平６−５５７６５
【考案の開示】
【考案が解決しようとする課題】
【０００４】  実開平６−５５７６５においては、席次表の反対面を結婚式場と関連する絵画を印刷することによって宴席を盛り上げ印象深いものとする提案がなされている。このように、席次表の反対面を利用して結婚式場と関連する場面を印刷し、披露宴を思い出深いものとしようとする試みは優れたものといえる。しかし、そのデザインは限られた表紙のデザインしか選べず、個性を出すには限度があった。
本考案は、結婚披露宴席次表が十分に新郎新婦の個性が活かされていない現状に鑑み、列席者の座席が表示された結婚披露宴席次表の反対面を利用して、数十種類用意された「イラスト」「タイトル」及び「タイトル用の書体」を組み合わせ結婚披露宴の主賓である新郎新婦の個性を十分に列席者に印象付ける事の出来る結婚披露宴席次表を提供する事を目的とする。
【課題を解決するための手段】
【０００５】  結婚式の披露宴に用いられる会場内の席次表に於いて、席次表配列印刷面（Ｂ面）の反対面（Ａ面）を、両側から４分の１づつ山折し、その４分の１づつ折込んだＡ面の一方の片面には新郎新婦の挨拶やその日のメニュー等を入れ、もう一方の片面にはプロフィールや写真・イラスト等を入れ、Ａ面の残り２分の１を表紙面とし、該表紙面には数十種類用意されたイラストの中から新郎新婦が選んだイラストを印刷し、その２分の１を表表紙として、数十種類用意された「書体」から選んだ「書体で作ったロゴ」が入り、残り２分の１を裏表紙として表紙面で新郎新婦が選んだイラストを印刷し、Ａ面の真中より山折して４分の１の大きさとした、結婚披露宴席次表。
【考案の効果】
【０００６】  結婚披露宴席次表に、プロフィール及び当日配膳される料理名を記載すると共に、数十種類用意された「イラスト」「ロゴ」「ロゴ用書体」を組み合わせた物を印刷することにより、新郎新婦２人の良好なイメージを列席者に与える事を醸成することが可能であり、数十種類用意された「イラスト」「ロゴ」「ロゴ用書体」を組み合わせる事により数百通りの表表紙及び裏表紙が出来る事になる。数百通りの表表紙及び裏表紙が出来ることにより、セミオーダー品として２つと無い結婚披露宴席次表が出来る。
また、受注生産のためコストを抑えると共に在庫のストックを大幅に削減することが可能となる。
【考案を実施するための最良の形態】
【０００７】  次に本考案に係わる結婚披露宴席次表の実施例を図面に基づき説明する。
図１は席次表の反対面あたる席次表のＡ面（１）の平面図、図２は席次表印刷面の席次表のＢ面（２）の平面図である。
図１の席次表のＡ面（１）において、略４分割した縦の折り線、折り線Ａ（３ａ）、折り線Ｂ（３ｂ）及び折り線Ｃ（３ｃ）を入れ、それぞれを山折りにする。
折りたたむ順序は最初に折り線Ａ（３ａ）及び折り線Ｂ（３ｂ）を山折りし、次に折り線Ｃ（３ｃ）を山折りする。これによって最初の４分の１の大きさになる。
プロフィール面及び挨拶面（１ａ）には新郎新婦のプロフィール及び挨拶文を印刷する。メニュー面（１ｂ）には当日配膳される料理名を印刷する。尚、プロフィール面及び挨拶面（１ａ）とメニュー面（１ｂ）は逆になっても差しつかえない。
表表紙面（１ｃ）及び裏表紙面（１ｄ）には共通のイラストが描かれる。イラストは数十種類用意されたイラストの中から新郎新婦の好みにあったものが選ばれ印刷される。表表紙面（１ｃ）にはさらにタイトル、タイトル用書体を組合わせて印刷する。また裏表紙面（１ｄ）には表表紙面（１ｃ）で新郎新婦が選んだイラストを印刷する。これにより、新郎新婦のオリジナルの席次表が出来上がる。
図２の席次表のＢ面（２）は席次の配列を印刷する面とする。
この席次表を列席者へ配布する事により、列席者は席次本来の役割である自己の座席の確認を行うと共に、新郎新婦の個性を存分に列席者に印象付ける事が可能となる。
【図面の簡単な説明】
【０００８】
【図１】  本考案の席次表のＡ面を示す図
【図２】  本考案の席次表のＢ面を示す図
【符号の説明】
【０００９】１  席次表のＡ面
１ａプロフィール面及び挨拶面
１ｂメニュー面
１ｃ表表紙面
１ｄ裏表紙面
２  席次表のＢ面
３ａ折り線Ａ
３ｂ折り線Ｂ
３ｃ折り線Ｃ
【図１】
0003130978.tif 000003
【図２】
0003130978.tif 000004
(57)【要約】【課題】設置位置を調理面に近づけることにより、油煙の飛び散りや熱気を防ぐと同時に装置内で充分な油分除去をおこない、ダクト内への油分の流入を防ぎダクト内火災を防止する調理用排気装置を提供する。【解決手段】吸引された空気の流れに沿って、調理面より９０度以上の角度を持ったグリースフィルター（３）、給水管（４）に接続した噴霧ノズル（５）細かな開口のあるバブリングプレート（６）、活性炭フィルター（９）で構成された排気装置であり、調理面より上部５０ｃｍ前後に取付けることとする。【選択図】図１
0003130972.tif 000002
【実用新案登録請求の範囲】
【請求項１】
吸引された空気の流れに沿って、グリースフィルター、給水管に接続された噴霧ノズル、細かな開口のあるバブリングプレート、活性炭フィルターを内臓する構造の排気装置であって、前記グリースフィルターを調理面より９０度以上の角度を持って取付けること、排気装置本体を調理面より上部５０ｃｍ前後に取付けることを特徴とする排気装置
【請求項２】
前記排気装置から、活性炭フィルターを除いた構造の請求口１記載の排気装置
【請求項３】
前記排気装置の排気口に送風機を取付け、吸引された空気が前記送風機の噴出し口から室内に循環される構造の請求口１記載の排気装置
【考案の詳細な説明】
【技術分野】
【０００１】本考案は、調理器具からの排煙を取り込み、油分及び臭気を取除き排出する為の排気装置に関するものである。
【背景技術】
【０００２】従来の調理用排気装置は、安全上の視点から調理面よりかなりの距離をとることが一般的であり、その為に油煙や熱気がスムーズに吸い込まれず、周辺を汚すことが多い。また油分を取除く為のグリースフィルターは活性炭或はバッフルフィルター等、単一効果のフィルターが殆どある。
【考案の開示】
【考案が解決しようとする課題】
【０００３】油煙の飛び散りや熱気を防止する為に、排気装置を調理面に近づけると、高温空気の流入の恐れがあり、油分除去率の低いフィルターにおいては、ダクト内に溜まった油塵に引火し、ダクト内火災を誘発する危険性がある。
本考案は、排気装置を調理面に近ずけることにより、油煙や熱気をスムーズに排気すると同時に、装置内で充分な油分除去を行いダクト内火災を防止することを課題とする。
【課題を解決するための手段】
【０００４】上記課題を解決する為に、本考案は吸引された空気の流れに沿って、グリースフィルター、給水管に接続された噴霧ノズル、細かな開口のあるバブリングプレート、活性炭フィルターで構成された排気装置であって、前記グリースフィルターを調理面より９０度以上の角度を持って取付けること、排気装置を調理面より上部５０ｃｍ前後に取付けることを特徴とする。
【考案の効果】
【０００５】吸引された空気は、まず初めに吸引口に取り付けられたグリースフィルターに衝突し、フィルター上に油分を捕捉される。  次に噴霧ノズルから出る霧状の水の中を通過し水分を含んだ状態でバブリングプレートを通過する。この時油分や塵埃は水に取り込まれる。さらに活性炭フィルターを通過することにより、取り残した微粒子、臭気が吸着される。
以上の如く油分除去を繰り返すことにより、油塵の蓄積を防止すると共に、噴霧水の中を通過することにより、吸引された高温空気を常温に戻す役割をはたし、万一炎が吸引された場合でも火災の危険はない。さらに、グリースフィルターを調理面より９０度以上の角度をもって取付けることにより、排気装置を近づけることで発生する乱気流がおさえられる。
よって、排気装置を調理面に近ずけスムーズな排煙をおこないながら、同時にダクト火災等の危険性を排除することになる。
【考案を実施するための最良の形態】
【０００６】本考案に係る実施の形態について図面を参照して詳細に説明する。
図１は本考案の排気の流れを表わした断面図である。図２は給水及び活性炭の装置の状態を表わす正面からの断面図である。
吸引口（１）から吸引された空気がいったん下降してから、再び上昇する構造からなる仕切り板（２）を取付ける。
吸引口（１）にバッフルフィルター（３）を、調理面に対して９０度以上の角度をもって取り付ける。
バッフルフィルター（３）の下に仕切り板（２）を通して、給水管（４）に接続された噴霧ノズル（５）を取付ける。
仕切り板（２）の下に細かな開口のあるバブリングプレート（６）を取付ける。
バブリングプレート（６）の下に排水口（７）を設けて排水管（８）に接続する。
仕切り板（２）の上部に活性炭フィルター（９）を配し、活性炭フィター（９）の上部に排気口（１０）を設ける。
以上のように構成された本体（１１）に風圧センサー（１２）を取付け給水管（４）に取り付けた電磁弁（１３）と接続する。
排気口（７）に防火ダンパー（１４）を取り付ける。
防火ダンパー（１４）と室外に配置した送風機（１５）をダクト（１６）により接続する。
以上のように構成する。
【実施例】
【０００７】なお、本考案の実施の形態において、図４に示すように活性炭フィルター（９）を内蔵しない構造であっても、充分な油分除去が可能であり、課題を解決するに問題はない。
さらに、本考案では、油分と臭気が充分に除去される為、図５に示すように、排気口（７）に送風機（１５）をとりつけて、吸引した空気を室内に循環させることも可能である。
【図面の簡単な説明】
【図１】  本考案の排気の流れを表わした断面図
【図２】  本考案の構造を表わした正面からの断面図
【図３】  本考案の使用斜視図
【図４】  本考案の実施例の断面図
【図５】  本考案の他の実施例の断面図
【符号の説明】
１は吸引口        ２は仕切り板        ３はグリースフィルター
４は給水管        ５は噴霧ノズル      ６はバブリングプレート
７は排水口        ８は排水管          ９は活性炭フィルター
１０は排気口      １１は本体          １２は風圧センサー
１３は電磁弁      １４は防火ダンパー  １５は送風機
１６はダクト
【図１】
0003130972.tif 000003
【図２】
0003130972.tif 000004
【図３】
0003130972.tif 000005
【図４】
0003130972.tif 000006
【図５】
0003130972.tif 000007
【手続補正書】
【提出日】平成19年1月19日(2007.1.19)
【手続補正１】
【補正対象書類名】実用新案登録請求の範囲
【補正対象項目名】全文
【補正方法】変更
【補正の内容】
【実用新案登録請求の範囲】
【請求項１】
吸引された空気の流れに沿って、グリースフィルター、給水管に接続された噴霧ノズル、細かな開口のあるバブリングプレート、活性炭フィルターを内蔵する構造の排気装置であって、前記グリースフィルターを調理面より９０度以上の角度を持って取付けること、排気装置本体を調理面より上部５０ｃｍ前後に取付けることを特徴とする排気装置
【請求項２】
前記排気装置から、活性炭フィルターを除いた構造の請求項１記載の排気装置
【請求項３】
前記排気装置の排気口に送風機を取付け、吸引された空気が前記送風機の噴出し口から室内に循環される構造の請求項１記載の排気装置
(57)【要約】   【課題】    本考案は、片手によりワンタッチで着脱が出来る遠近両用メガネ焦点調整具を提供する事により簡単に、かつ確実に焦点を合わせる事が可能な様にし、目・鼻への負担軽減を計り、楽な作業姿勢が取れる様にする。【解決手段】    鼻あて帯から上方に伸びている支持体を、遠近両用メガネフレームのブリッジ下側から押し上げるように差し入れ、その後鼻あて帯を鼻の上に固定する。これにより、メガネ自体が上方へ持ち上がり近方視側レンズに容易に焦点を合わせる事が可能となって問題点を解決している。  【選択図】    図4
0003130952.tif 000002
【実用新案登録請求の範囲】
【請求項１】
主に鼻あて帯と、メガネフレームのブリッジ部分を下側から上方に向かって押し上げるための支持体から構成される着脱式の遠近両用メガネ焦点調節具。    
【請求項２】
請求項１の鼻あて帯は、山型の軟質材などを用い鼻の上に固定される形状とする
着脱式の遠近両用メガネ焦点調節具。    
【請求項３】
請求項１の支持体としては、請求項１及び請求項２に記載の鼻あて帯と同一の素材
あるいは、別に取り付けられる他の素材（硬質線など）とし、鼻あて帯からメガネ
フレームのブリッジ部分下側を上方に向かって押し上げる形状とする着脱式の遠近
両用メガネ焦点調節具。
【考案の詳細な説明】
【技術分野】
【０００１】
本考案は、メガネフレームのブリッジ部分を上方に向かって押し上げるタイプの着脱式遠近両用メガネ焦点調節具である。
【背景技術】
【０００２】
遠近両用メガネを装着しての近方視の際、あごを前に出しながら見たり、手で
メガネを持ち上げながら見たりしている。
【特許文献１】特開２００１−３３７３９
【考案の開示】
【考案が解決しようとする課題】
【０００３】
前述の様に近方視の際、メガネを持ち上げたりする煩わしさがあったり、無理な姿勢の為目にも負担がかかっている。また、それらの事から字の読み書き、手作業及び
パソコン操作等の作業効率も悪くなっている。従って、本考案の着脱式遠近両用メガネ焦点調節具を用いる事により楽な姿勢での作業を可能にする事によって、これらの課題を解決しようとするものである。
【課題を解決するための手段】
【０００４】
鼻あて帯から上方に伸びている支持体を、遠近両用メガネフレームのブリッジ部
下側から押し上げるように差し入れ、その後鼻あて帯を鼻の上に固定する。これにより、メガネ自体が上方に持ち上がり近方視側レンズに容易に焦点を合わせる事が可能となって問題点を解決している。
【考案の効果】
【０００５】
上述の様に従来の技術に比べ本考案は、焦点を合わせる為の調整の際メガネを取り外す必要が無く、片手によりワンタッチで着脱が出来る為、遠近両用共に焦点を合わせる事が極めて簡単である。また、構成素材が少なく形状と共に極力簡素化していることも特徴である。
【考案を実施するための最良の形態】
【０００６】
メガネフレームのブリッジ部を持ち上げるための支持体は、鼻あて帯と同素材の軟質材など、あるいは別の素材、例えば硬質線なども使用出来るが、素材そのものやブリッジまでの形状、及び支持体が鼻あて帯のどの部位にあるものかを特に限定するものではない。一例として、鼻あて帯の素材によっては支持体に硬質線などを用い、
その鼻あて帯の周囲に施した方が保持力を高め、メガネがずり落ちたりせず鼻の上へ安定させつつ負担を軽減して確実に焦点を合わせるために、より望ましい。
【実施例】
【０００７】
以下、添付書類に従って支持体に硬質線を使用した場合の実施例を説明する。
１はメガネフレームのブリッジ下側から押し上げる様に差し入れる部分の支持体で、この動作によりメガネ自体を上方へ持ち上げた後  ２の山型の軟質材などで出来た鼻当て帯を鼻の上に乗せ固定する。その後、上下に調整して近方視点に焦点を合わせる。尚、支持体１をブリッジ下側に差し入れる際に顔面などの皮膚を傷つける事のない様上端部に何らかの処置を施すが、本実施例では保護キャップ３を備える事とする。
取り外す場合は、逆の手順で鼻あて帯２を鼻から離した後、支持体１を若干下側に回転させるようにしてフレームのブリッジ下側から引き離す。
【図面の簡単な説明】
【０００８】
【図１】本考案である着脱用の遠近両用メガネ焦点調整具の右側面図である。
【図２】左側面図である。
【図３】上（底）面図である。
【図４】実際に使用している使用図を示す。
【符号の説明】
【０００９】
１  支持体
２  鼻あて帯
３  保護キャップ
【図１】
0003130952.tif 000003
【図２】
0003130952.tif 000004
【図３】
0003130952.tif 000005
【図４】
0003130952.tif 000006
【手続補正書】
【提出日】平成19年1月24日(2007.1.24)
【手続補正１】
【補正対象書類名】実用新案登録請求の範囲
【補正対象項目名】全文
【補正方法】変更
【補正の内容】
【実用新案登録請求の範囲】
【請求項１】
主に鼻あて帯と、メガネフレームのブリッジ部分を下側から上方に向かって押し上げるための支持体から構成される着脱式の遠近両用メガネ焦点調節具。
【請求項２】
鼻あて帯は、山型の軟質材を用い鼻の上に固定される形状とする請求項１に記載の着脱式の遠近両用メガネ焦点調節具。
【請求項３】
支持体として、鼻あて帯と同素材の軟質材、あるいは別の素材の硬質線も使用出来るものとし鼻あて帯からメガネフレームのブリッジ部分下側を上方に向かって押し上げる形状とする請求項１、または請求項２に記載の着脱式の遠近両用メガネ焦点調節具。
(57)【要約】【課題】  本考案は歯ブラシ本体にブリッジと歯裏に直角に面することができるブラシを設け、磨き残しを防止する。【解決手段】  本考案は歯ブラシ本体１の柄先部分にブリッジ２を設け、当該ブリッジ２の先にブラシ３を設けることにより、歯裏を万遍なく磨くことが出来るので磨き残し防止に役立つ。【選択図】図１
0003130955.tif 000002
【実用新案登録請求の範囲】
【請求項１】
歯ブラシ本体の柄先部分に歯を跨ぐブリッジを設け、当該ブリッジの先に歯裏に直角に面することができる位置と角度にブラシを設けたことを特徴とする歯裏磨き専用歯ブラシ
【考案の詳細な説明】
【技術分野】
【０００１】  本考案は、歯裏を専用に磨くブラシを設けた、歯ブラシに関するものである。
【背景技術】
【０００２】  歯磨きをする際に、歯表と歯裏は同一の歯ブラシで磨いていた。
【考案の開示】
【考案が解決しようとする課題】
【０００３】  歯表を磨くのに適した現存の歯ブラシでは、歯裏を同じ様に磨くのは角度的に難しく、常に磨き残しが生じる。従って、ブラシを歯裏に直角に面することができる歯ブラシを用いることにより、歯裏を歯表と同じように磨くことが可能になり、前述の欠点を解決しようとするものである。
【課題を解決するための手段】
【０００４】  本考案は、歯ブラシ本体柄先部分に歯を跨ぐブリッジを設け、当該ブリッジの先に歯裏に直角に面することができる位置と角度にブラシを設けることにより問題を解決している。
【考案の効果】
【０００５】  上述の様に、本考案の歯裏磨き専用歯ブラシは歯裏を歯表と同じ様に磨くことが出来るので磨き残しを防止することに役立つ。
【考案を実施するための最良の形態】
【０００６】  歯ブラシ本体の柄先部分がブリッジになっており、歯を跨ぐことで自在に歯ブラシを動かして歯裏を万遍なく磨くことが可能になる。
【実施例】
【０００７】  以下、添付図面に従って一実施例を説明する。１は耐久性のプラスチック等適宣素材にて一体化形成された歯ブラシ本体、２は歯を跨ぐために当該歯ブラシ本体１の柄先部分に設けたブリッジで、３は２の先に設けた歯裏に直角に面するブラシである。
【図面の簡単な説明】
【０００８】
【図１】本考案の歯裏磨き専用歯ブラシの一実施例を示す平面図である。
【符号の説明】
【０００９】  １  歯ブラシ本体  ２  ブリッジ  ３  ブラシ
【図１】
0003130955.tif 000003
(57)【要約】      （修正有）【課題】独立電源ソーラーモジュールより発電した電力を風雨に関係なく燈袋及び蓮台にセットした蓄電池に入力し、消点灯コントローラーによって自動的にＬＥＤを作動し有効な照明を得る。【解決手段】燈篭笠部１の２面にソーラーモジュール４を設置し、発電した電力は配線５、６を通り、２、３にセットされたカートリッジ式防水形蓄電池９−Ｃに入る。９−Ｃの上方に設置した充放電コントローラー９−Ｂの動作により自動的に防水形ＬＥＤ球９−Ａを消点灯し、９−Ａの上方に設けた反射鏡により均一な照明を確保する。【選択図】図２
0003130958.tif 000002
【実用新案登録請求の範囲】
【請求項１】
燈篭の笠部に複数のソーラーモジュールを取り付け燈袋及び蓮台に収納した防水形カートリッジ入り蓄電池に充電し、カートリッジ上部に充放電コントローラーを配し防水形とし平面形防水パッケージに複数のＬＥＤ球をセットして自動照明を行い、ＬＥＤ球の上方に設置した反射鏡で照明効果を有効とした燈篭照明。
【請求項２】
請求項１の内、平面形ＬＥＤ球による照明と異なり、半円球形パッケージにＬＥＤ球を複数配し防水加工で一体化して燈袋窓の形状によって有効な照明を得る。
【考案の詳細な説明】
【技術分野】
【０００１】本考案は、燈篭の笠部に複数のソーラーモジュールを取り付け防水カートリッジに収納した蓄電池に入力し充放電コントローラーによって、防水形ＬＥＤ球の消点灯を自動的に行う燈篭照明である。
【背景技術】
【０００２】従来より、神社仏閣の参道等には燈袋部には蝋燭が配置され非効率な点灯作業が行われていた、これを改良し一般家電の電力よる照明や太陽電池を電力としてＬＥＤによる照明が行われているが、燈袋窓の形状によって、ＬＥＤの配置及びＬＥＤ球の形状によって照明の有効性が異なる。
【考案の開示】
【考案が解決しようとする課題】
【０００３】燈袋内に風雨が予測されるため蓄電池、消点灯コントローラー、ＬＥＤ球の防水が必要である、燈袋の照明窓の形状により有効な照明が必要となりＬＥＤ球の形状及び配置、照明を均一にする手段。
【課題を解決するための手段】
【０００４】防水に関しては、蓄電池はステンレス製カートリッジに納め、消点灯コントローラーは透明の合成樹脂のパッケージに納める、ＬＥＤ球は、平面形、半円形形共にアクリルコーティングで防水する。ＬＥＤ球の形状及び配置については、平面形はアルミ枠の中に複数のＬＥＤ球を配しアクリルコーティングを行い照明を行う、半円球形は樹脂の半円球形に複数のＬＥＤを配し表面をアクリルコーティングを施し照明球とする、照明度を均一にするためＬＥＤ球の上方に反射鏡を取り付け照明効果を有効とする。
【考案を実施するための最良の形態】
【０００５】図２に示す通り４、で発電し５、６、を通り９−Ｃに入力し９−Ｂの作動により９−Ａの照明を実行し、７、の反射鏡により均一な照明にする。【０００６】本考案は図２に示す通り燈篭笠部１、の２面にソーラーモジュール４、を設置し発電した電力は配線５、６、を通り２、３、にセットされたカートリッジ式防水形蓄電池９−Ｃに入る、９−Ｃの上方に設置した充放電コントローラー９−Ｂの動作により自動的に防水形ＬＥＤ球９−Ａ、を消点灯し９−Ａの上方に設けた反射鏡により均一な照明を確保する。【０００７】上記工程により完成した燈篭の照明は長期間の使用が可能であり経済的にも優れている。
【考案の効果】
【０００８】本考案は独立電源の燈篭照明であり日射しを得れば場所を選ぶことなく安価で設置が可能であり、ＬＥＤ球の形状及び配置により燈袋窓の形状にかかわりなく有効な照明が得られ労力を要せず長期間の照明が可能である。
【図面の簡単な説明】
【０００９】
【図１】本考案に係る全体図である
【図２】本考案に係る構造である
【図３】本考案に係る詳細図である
【符号の説明】
【００１０】１  笠部                  ７      反射鏡
２  燈袋部                ８      円形窓
３  蓮台部                ９−Ａ  充放電コントローラー
４  ソーラーモジュール    ９−Ｂ  ＬＥＤ照明器
５  配線笠部              ９−Ｃ  鉛蓄電池
６  配線燈袋部
【図１】
0003130958.tif 000003
【図２】
0003130958.tif 000004
【図３】
0003130958.tif 000005
【手続補正書】
【提出日】平成19年1月9日(2007.1.9)
【手続補正１】
【補正対象書類名】実用新案登録請求の範囲
【補正対象項目名】全文
【補正方法】変更
【補正の内容】
【実用新案登録請求の範囲】
【請求項１】
燈篭の笠部に複数のソーラーモジュールを取り付け燈袋及び蓮台に収納した防水形カートリッジ入り蓄電池に充電し、カートリッジ上部に充放電コントローラーを配し防水形とし平面形防水パッケージに複数のＬＥＤ球をセットして自動照明を行い、ＬＥＤ球の上方に配置した反射鏡で照明効果を有効とした燈篭照明。
【請求項２】
燈篭の笠部に複数のソーラーモジュールを取り付け燈袋及び蓮台に収納した防水形カートリッジ入り蓄電池に充電し、カートリッジ上部に充放電コントローラーを配し防水形とし半円球形防水パッケージに複数のＬＥＤ球をセットして自動照明を行い、ＬＥＤ球の上方に配置した反射鏡で照明効果を有効とした燈篭照明。
(57)【要約】【課題】  鉄筋の接続溶接において、溶接状態・状況を目視確認しながら、鉄筋相互の接続強度の向上と確保を目的とした、鉄筋接続継手部材（裏あて金兼用）を提供する。【解決手段】  炭酸ガスアーク溶接において、鉄筋Ａと鉄筋Ｂを接続する時、その接続部材を図１に示すとおり、鉄筋軸方向に、一定の巾をもって延びた、４カ所の受け部（ウィング）ａを設けた鋼材製継手部材を、使用することにより、従来の物より、接続後の曲げ・引っ張り等の強度が向上・確保され、溶接部分の仕上げ後の目視確認も容易である。【選択図】図１
0003130957.tif 000002
【実用新案登録請求の範囲】
【請求項１】
炭酸ガスアーク溶接により、鉄筋相互の接続溶接時、鉄筋の端部をはめ込む接続継手部材（裏あて金兼用）の形状・構造を、図１に示すように、接続鉄筋の軸方向に、一定の巾を持って延びた４ヶ所の受け部（ウィング）ａを有する、鉄筋接続継手部材。
【請求項２】
４箇所のウィングａの、本体側両付け根部分は、ｂのアールを設けて、すべての鉄筋サイズに適合した、あらかじめ加工された、請求項１の鉄筋接続継手部材。
【考案の詳細な説明】
【技術分野】
【０００１】  この考案は、建設・土木等の工事において、その鉄筋工事に関して、半自動炭酸ガスアーク溶接により、鉄筋相互の接続時に使用し、接続強度の向上と確保を目的とした、鉄筋の接続継手部材を提供する。
【背景技術】
【０００２】  従来、建設・土木等での鉄筋接続工事の方法は、ガス圧接工法が主流でしたが、近年は、炭酸ガスアーク溶接での溶接継手部材使用による工法が、採用されるようになってきました。
【考案の開示】
【考案が解決しようとする課題】
【０００３】  炭酸ガスアーク溶接による、鉄筋相互の接続において、従来の接続継手以上の強度向上と確保、それと、溶接部分の仕上げ後の目視確認を容易にする事。
【課題を解決するための手段】
【０００４】  請求項１、請求項２、に記載された内容です。
【考案の効果】
【０００５】  この考案による接続継手の形状・構造により、図３  に示すとおり、鉄筋相互の軸方向に、一定の巾を持って延びた４箇所の受け部ａが、接続しようとする相互の鉄筋側面に沿う状態にし、その周辺部に溶接をする事により、従来のものより、さらに接続強度の向上・確保がなされました。
具体的には、この接続継手部材の装着方法は、ウィングａの中心（軸方向センター）が、鉄筋の中心（軸方向センター）と一致するようにします。
【図面の簡単な説明】
【図１】鉄筋接続継手部材全体の斜視図
【図２】鉄筋接続継手部材全体の展開図
【図３】鉄筋接続継手部材使用時の側面図
【図４】鉄筋接続継手部材使用時の平面図
【符号の説明】
ａ  鉄筋受け部（ウィング）
ｂ  鉄筋受け部・付け根部分のアール形状
ｃ  鉄筋接続継手部材本体
Ａ  接続鉄筋
Ｂ  接続鉄筋
【図１】
0003130957.tif 000003
【図２】
0003130957.tif 000004
【図３】
0003130957.tif 000005
【図４】
0003130957.tif 000006
【手続補正書】
【提出日】平成18年12月25日(2006.12.25)
【手続補正１】
【補正対象書類名】実用新案登録請求の範囲
【補正対象項目名】全文
【補正方法】変更
【補正の内容】
【実用新案登録請求の範囲】
【請求項１】
炭酸ガスアーク溶接により、鉄筋相互の接続溶接時、鉄筋の端部をはめ込む接続継手部材であり、接続鉄筋の軸方向に、一定の巾を持って延びた４ヶ所の鉄筋受け部ａを有し、これらを接続鉄筋の周囲に沿うようにＵ字形に成形された、アール形状の部材でつないだ形状・構造の鉄筋接続継手部材。
【請求項２】
すべての鉄筋サイズに適合した、あらかじめ加工された、請求項１の鉄筋接続継手部材。
(57)【要約】      （修正有）【課題】ペットが格子を噛む行動により美観を損なうことが少なく、また人体にとっても安全なペット飼育に用いるペットサークルの提供。【解決手段】上部フレーム２の上部にフタ１を設け上部フレーム２には格子３と同型の穴状を開け上部フレーム２より格子３が抜ける形式をとり、容易に格子３交換できる。【選択図】図１
0003133402.tif 000002
【実用新案登録請求の範囲】
【請求項１】
上部フレーム２の上部にフタ１を設け上部フレームには格子３と同型の穴状を開け上部フレーム２より格子３が抜ける形式をとり交換可能にして上部フレーム２の上にフタ１を設け格子が抜けないようにした事を特徴とするペットサークル
【考案の詳細な説明】
【技術分野】
【０００１】  この考案は、ペット飼育に用いるペットサークルの形状に関する。
【背景技術】
【０００２】  ペットサークルは、複数のパネルを環状に繋ぎ、これらのパネルでかこまれた内部にペットを収容するものであって、各パネルは、上フレームと下フレームと、これら上フレームと下フレームとの間に取り付けられる網状体とから構成されているものが一般的である。
【考案の開示】
【考案が解決しようとする課題】
【０００３】ペットの噛む行動による格子部の変形及び破損は美観を損なう。また人体にとっても危険それに対しこの考案は容易に変形及び破損した格子が交換できるペットサークルを提供することを課題とする。
【課題を解決するための手段】
【０００４】  以上の課題を解決するために、考案は、上部フレーム２の上部に上部フレーム２同寸法のフタ１を設け上部フレーム２には格子３と同型の穴状を開け上部フレーム２より格子３が抜ける形式をとり交換可能にして上部フレーム２の上にフタ１を設けた事を特徴とするペットサークル
【考案の効果】
【０００５】本考案によれば、安全で常に外観の優れたペットサークルを提供することができる。
【考案を実施するための最良の形態】
【０００６】  この考案の一実施形態を、図１に示す。
ペットサークル本体４木製である。【０００７】「実施形態の効果」
この実施形態によれば、フタ部１を設けフレーム上部２より格子３が取り外せる効果により格子３が破損及び傷がついたとき時に容易に交換できまた隅々の清掃もしやすくなる。【０００８】「他の実施形態」
図１の実施形態では、格子３は円状の木製棒であったが、他の実施形態では、多角径状の金属または木製でもよい。
【図面の簡単な説明】
【０００９】
【図１】本考案に係るペットサークルの全体を示す斜視図である。
【図２】ペットサークルのフレームを分解して示す斜視図である。
【符号の説明】
【００１０】  １  フタ部            ２  フレーム上部
３  格子部            ４  本体
【図１】
0003133402.tif 000003
【図２】
0003133402.tif 000004
(57)【要約】      （修正有）【課題】手全体を覆うゴム手袋式歯ブラシで従来の歯ブラシは、柄式歯ブラシか、ふき取り、指サック式が使われていたが、衛生面からかなり抵抗感があり、ペット用については恐怖心もあった。そこで抵抗感なく恐怖心もなく使えるゴム手袋式歯ブラシを提供する。【解決手段】ゴム手袋式歯ブラシで手全体を保護でき、直接指に歯ブラシ１歯茎マッサージゴム２を付け歯の奥、内側の清掃、歯茎のマッサージなど口腔ケアが抵抗（恐怖心）なく手軽にでき、ペット用においては同時に反対の手は指先に全身マッサージ用突起を付け、手の平には遊び毛を取り毛繕いができるゴムブラシを付けペットとのコミュニケーションが取れるようにし、特に介護用幼児用の歯ブラシは介護者が、歯茎マッサージ、舌のこけ取り、入れ歯の洗浄等が指の感覚を使い強弱をつけながらでき、口腔内の雑菌がもとで起こる肺炎等の病気の予防もできる手袋式衛生ゴム歯ブラシを特徴とする。【選択図】図３
0003133404.tif 000002
【実用新案登録請求の範囲】
【請求項１】
人差し指と親指に歯ブラシを付け、中指と薬指には歯茎マッサージ用ゴムを付け飼い主が恐怖心なくペットの口腔ケアができる手袋式歯ブラシ、反対の手には指先に全身マッサージ用突起を付け手の平には毛すきブラシを付け両手で全身のケアができるところを特徴とする手袋式ペット用衛生歯ブラシ。
【請求項２】
人差し指に歯ブラシを付け、中指と薬指には歯茎マッサージができるゴムブラシを付けた介護用手袋式歯ブラシ、手全体を覆うので介護者が抵抗感なく衛生的に口腔ケアができるゴム手袋式介護用衛生歯ブラシ。
【請求項３】
人差し指に柔らかく小さめのブラシを付け、中指と薬指では歯茎マッサージができるゴムブラシをつけた幼児用手袋式歯ブラシ、幼児は奥歯までなかなか上手く磨けない、あくまで幼児自身にやらせることを原則に、この手袋式歯ブラシで指先を使って奥歯や歯の内側までの仕上げを大人ができるようにしたゴム手袋式幼児用衛生歯ブラシ。
【考案の詳細な説明】
【技術分野】
【０００１】  この考案は、手全体を覆うことができるゴム手袋の人差し指と親指にブラシを付け、中指、薬指にはマッサージゴムブラシをつけて飼い主が恐怖心なく衛生的にペットの口腔ケアができる歯ブラシと、ゴム手袋の人差し指に歯茎に刺激を少なくしたゴムブラシを付け病人や幼児の口腔ケアが介護者に抵抗感なくできる手袋式衛生歯ブラシに関するものである。
【背景技術】
【０００２】  従来、口腔ケア用品では普通の柄付きブラシか、ふきとり用和布、指サック式歯ブラシなどが利用されている。
【考案の開示】
【考案が解決しようとする課題】
【０００３】  これはつぎのような問題点があった。今までのもので利用されていた柄付きブラシ、ふき取り式和布、指サック式では、歯磨きぐせを着けなかったペットにはなかなか使いづらいもので、噛み付かれそうで恐怖心がありペット、飼い主共にストレスとなりついそのままにして歯槽膿漏になっているペットも多くそれがペットの寿命を縮めている、ゴム手袋式歯ブラシの指先を使って、まず歯茎のマッサージで慣れさせてから歯のブラッシングをしてあげ飼い主が恐怖心無く手軽に利用できるようにしたものである。【０００４】  介護用歯ブラシについては、重度要介護者には歯ブラシまでなかなか手がまわらない奥歯までのブラッシング、歯茎のマッサージ、舌のこけ取り、入れ歯の洗浄など口腔ケアには介護者にとってかなりの抵抗感があり、つい雑になりがちで口腔内の雑菌が多くなりそれが原因で肺炎等を引きおこしている現状である。【０００５】  幼児も上辺だけでなかなか奥歯まで磨けていない場合が多い最後に大人が仕上げを手伝えばかなりの乳歯のケアに効果があり、やがて生えてくる永久歯にも影響が大きい。
本考案のゴム手袋式歯ブラシは、手先を使い手軽に抵抗感なく使用できるようにしてして上げる側のやりずらい口腔ケアの欠点を解決しようとするものである。
【課題を解決するための手段】
【０００６】  本考案は、手全体を覆うゴム手袋の指先にブラシやマッサージブラシや突起を直接付け、口腔ケアが抵抗感（恐怖心）なくできることにより問題を解決している。
【考案の効果】
【０００７】  上述の様に、本考案の手袋式衛生歯ブラシは、手全体を覆うゴム手袋に直接歯ブラシが付いているので、衛生面からも抵抗感がなく、奥歯まできれいに磨いてあげられ病気の予防にもなる。また、ペット用については全身マッサージと毛繕いができるようにし全身ケアがしっかりできので、おたがいにコミニケーションを高めることができる。
【考案を実施するための最良の形態】
【０００８】  ペット用においては、全身ケア用マッサージ突起でペットの全身のマッサージと浮き毛を取ってあげることで、ペットと飼い主がコミニケーションをしっかりと取り、口腔ケアも恐怖心なくスムーズにできるようにして歯茎マッサージから歯のブラッシングができるようにもっていけるようにする。【０００９】  介護用においては、ゴム手袋の人差し指にブラシを付け、中指、薬指にはマッサージゴムを付けることで、介護者が気軽に抵抗感なく奥歯のブラッシング、舌のこけ取り、歯茎のマッサージ、入れ歯の洗浄までもきれいに能率的にできるようにし、病気の予防もできるようにする。【００１０】  幼児用においては、歯ブラシを柔らかく小さくして、歯の奥、内側までの仕上げをしっかりして乳歯の保護が確実にできるようにする。
【実施例】
【００１１】  以下、添付図面に従ってー実施例を説明する。
ペット用ゴム手袋式歯ブラシの人差し指と親指にブラシ１を付け、中指と薬指にはマッサージゴム２を付け、反対の手では全身マッサージ突起３と毛繕いブラシ４を付けることで、歯のブラッシング、歯茎のマッサージができ、反対の手では全身マッサージと毛繕いができペットとのコミニケーションが同時に取れる。【００１２】  介護用、幼児用においては、人差し指にブラシ５を付け抵抗感なく手軽に歯ブラシができ、中指と薬指にはマッサージゴム６を付け歯ブラシと同時に歯茎のマッサージができるようにする。
【図面の簡単な説明】
【００１３】
【図１】  ペット用ゴム手袋の歯ブラシ、歯茎マッサージ部分の平面図である。
【図２】  ペット用全身ケア用マッサージ突起部分と毛繕い用ブラシ部分の平面図である。
【図３】  ペット用歯ブラシの側面図である。
【図４】  介護用ゴム手袋と幼児用ゴム手袋の平面図である。
【図５】  介護用ゴム手袋と幼児用ゴム手袋の使用時の図である。
【符号の説明】
【００１４】    １    ペット用ゴム手袋式の歯ブラシのブラシ部分
２  ペット用ゴム手袋式歯ブラシの中指、薬指のマッサージゴム部分
３  ペット用ケアセットの全身マッサージ突起部分
４  ペット用ケアセットの毛繕い用ブラシ部分
５  介護用及び幼児用手袋式歯ブラシのブラシ部分
６  介護用及び幼児用手袋式歯ブラシのマッサージゴム部分
【図１】
0003133404.tif 000003
【図２】
0003133404.tif 000004
【図３】
0003133404.tif 000005
【図４】
0003133404.tif 000006
【図５】
0003133404.tif 000007
(57)【要約】【課題】エアブラシに用いる非粘着性の型紙は切り抜いてしまうと、各絵柄部分の型紙がバラバラに独立してしまい、探さねばならなかったり、また紛失する可能性もあるため作業効率が悪かった。【解決手段】非粘着性の型紙の一部分を切り取らずに接合させておくことで、各絵柄部分の型紙を探す必要性や紛失の可能性を無くした。それにより作業効率が格段に向上した。【選択図】図１
0003133410.tif 000002
【実用新案登録請求の範囲】
【請求項１】
非粘着性の型紙の一部分を切り取らずに接合させておくことを特徴とするエアブラシ用型紙。
【考案の詳細な説明】
【技術分野】
【０００１】この考案は図案や絵柄を描画する際のエアブラシ作業に用いる型紙の形状に関する。
【背景技術】
【０００２】従来の非粘着性のエアブラシ用型紙は、図３に示すように、型紙本体Ｂと、絵柄部分である切り取られ独立した型紙Ｃ、Ｄ、Ｅ、Ｆから成る。絵柄部分Ｃに色を吹き付ける際には図４に示すように、色を吹き付けたい絵柄部分の型紙Ｃだけを取りはずし、色をつけたくない絵柄部分の型紙Ｄ、Ｅ、Ｆはテープなどを使って貼り付けておき、その上でエアブラシＩから塗料Ｈを吹き付ける。この作業を繰り返すことで、好きな図案や絵柄が描画できる。
【考案の開示】
【考案が解決しようとする課題】
【０００３】しかしながら、以上の技術によれば、非粘着性の型紙は切り抜いてしまうと、各絵柄部分の型紙がバラバラに独立するため、各色を吹き付ける繰り返し作業の工程中に、各絵柄部分の型紙を探さねばならなかったり、また紛失する可能性もあり作業効率が悪かった。
そこでこの考案は、各絵柄部分の型紙の紛失の可能性を無くし、かつ作業効率を高める型紙を提供することを課題とする。
【課題を解決するための手段】
【０００４】以上の課題を解決するために、第一考案は、非粘着性の型紙の一部分を切り取らずに接合させておくことを特徴とするエアブラシ用型紙である。
【考案の効果】
【０００５】第一考案によれば、非粘着性の型紙の一部分を切り取らずに接合させておくことで、各部分の型紙の紛失を無くし作業効率が格段に向上する。
【考案を実施するための最良の形態】
【０００６】この考案の一実施形態を、図２に示す。
型紙本体Ｂは非粘着性であり、そこに描かれた絵柄Ｃ、Ｄ、Ｅ、Ｆの実線に沿って切られている。各絵柄部分の型紙Ｃ、Ｄ、Ｅ、Ｆは、接合部１、２、３、４により型紙本体Ｂとつながっている。
Ｃの絵柄部分に色を吹き付ける際の実施形態を図１に示す。
被描画体Ａの上に乗せられた型紙本体Ｂの絵柄部分の型紙Ｃを接合部分１で折り返してＣ部分の被描画体だけを露出させ、色をつけたくない他の絵柄部分は、各型紙Ｄ、Ｅ、Ｆで塞いでおく。エアブラシでＣ部分（開口部Ｊ）だけに色を吹き付ける。
他の絵柄部分への色付け作業も同様に繰り返すことで好きな図案や絵柄が描画できる。【０００７】「実施形態の効果」
この実施形態によれば、各絵柄部分の型紙Ｃ、Ｄ、Ｅ、Ｆが接合部１、２、３、４により型紙本体Ｂとつながっているため、各絵柄部分の型紙Ｃ、Ｄ、Ｅ、Ｆを探す必要もなく、また紛失する可能性が皆無であるため、作業効率が格段に向上する。【０００８】「他の実施形態」
図１の実施形態では接合部は始めから切らずにおいたが、他の実施形態では、接合部は切った後でテープを使い接合しても良い。
【図面の簡単な説明】
【０００９】
【図１】この考案の一実施形態を示す斜視図である。
【図２】この考案の一実施形態を示す斜視図である。
【図３】従来技術を示す斜視図である。
【図４】従来技術を示す斜視図である。
【符号の説明】
【００１０】Ａ、被描画体    Ｂ、型紙本体    Ｃ、絵柄部分型紙    Ｃ１、絵柄部分型紙の裏面
Ｄ、絵柄部分型紙    Ｅ、絵柄部分型紙    Ｆ、絵柄部分型紙    Ｇ、吹き付け
Ｈ、塗料（絵の具）    Ｉ、エアブラシ    Ｊ、開口部    １〜４、接合部
【図１】
0003133410.tif 000003
【図２】
0003133410.tif 000004
【図３】
0003133410.tif 000005
【図４】
0003133410.tif 000006